(57)【特許請求の範囲】
【請求項１】
複数の工程を有する建築物の内装工事に適正な作業日数を算出するための作業日数算出装置であって、
工程ごとに設定された歩掛と、前記工程ごとに設定された係数と、を記憶した記憶部と、
各工程の作業量が入力される入力部と、
固有の計算式を用いて、前記入力された各工程の作業量と、対応する前記係数と、に基づき、各工程への投入数を算出する投入数算出部と、
各工程の作業量を合算して総作業量を算出する第１の算出部と、
各工程の作業量と対応する前記歩掛との乗算を全て加算したものを、前記総作業量で除算することにより、加重平均歩掛を算出する第２の算出部と、
各工程の作業量と対応する前記投入数との乗算を全て加算したものを、前記総作業量で除算することにより、加重平均投入数を算出する第３の算出部と、
前記総作業量を、前記加重平均歩掛と前記加重平均投入数とを乗算したもので除算することにより、前記作業日数を算出する第４の算出部と、
を備え、
前記固有の計算式は、前記入力された各工程の作業量が多いほど前記算出される投入数が増加する一方で前記算出される投入数の増加率は減少するように設定されていることを特徴とする作業日数算出装置。
【請求項２】
前記固有の計算式は、各工程の作業量の平方根と、前記工程ごとに設定された係数と、の乗算に基づくものであることを特徴とする請求項１に記載の作業日数算出装置。
【請求項３】
複数の工程を有する建築物の内装工事に適正な作業日数を算出するために、工程ごとに設定された歩掛と、前記工程ごとに設定された係数と、を記憶した記憶部と、各工程の作業量が入力される入力部と、を備えたコンピュータにインストールされるプログラムであって、
固有の計算式を用いて、前記入力された各工程の作業量と、対応する前記係数と、に基づき、各工程への投入数を算出する投入数算出ステップと、
各工程の作業量を合算して総作業量を算出する第１のステップと、
各工程の作業量と対応する歩掛との乗算を全て加算したものを、前記総作業量で除算することにより、加重平均歩掛を算出する第２のステップと、
各工程の作業量と対応する投入数との乗算を全て加算したものを、前記総作業量で除算することにより、加重平均投入数を算出する第３のステップと、
前記総作業量を、前記加重平均歩掛と前記加重平均投入数とを乗算したもので除算することにより、前記作業日数を算出する第４のステップと、
を備え、
前記固有の計算式は、前記入力された各工程の作業量が多いほど前記算出される投入数が増加する一方で前記算出される投入数の増加率は減少するように設定されていることを特徴とする作業日数算出プログラム。
【請求項４】
前記固有の計算式は、各工程の作業量の平方根と、前記工程ごとに設定された係数と、の乗算に基づくものであることを特徴とする請求項３に記載の作業日数算出プログラム。
【発明の詳細な説明】
【技術分野】
【０００１】
本発明は、建築物の内装工事のための作業日数算出装置、作業日数算出プログラム、及び、作業日数算出方法に関する。
【背景技術】
【０００２】
従来より、建築物の内装工事を行う際には、最初に完成予定日を決定した上で、経験則により、その完成予定日に間に合うように作業員の投入数を決定していた。
【０００３】
また、建築物の足場の組立作業の作業日数と、各作業日の作業者の投入数と、を入力することで、入力された内容でどこまで足場が組み立てられるかを推測することができる工程管理支援装置も提案されている。（例えば、特許文献１参照）。
【先行技術文献】
【特許文献】
【０００４】
【特許文献１】特開２０１０−２７１７８６号公報
【発明の概要】
【発明が解決しようとする課題】
【０００５】
しかしながら、経験則により決定された投入数は適正なものでないことが多く、完成予定日に間に合わせるために作業員に過酷な労働が課されたり、逆に作業員が余剰となってしまうような事態が生じていた。
【０００６】
また、上記特許文献１に記載の技術を用いれば、足場の組立が完成するまでにどれだけの作業日数が必要かを予測することも可能であると考えられる。しかしながら、この技術では、投入数と、歩掛と、作業日数と、を単純に乗算することにより足場の進捗状況を予測しているだけであり、このようにして予測された作業日数は適正なものでないことが従来から問題となっていた。
【０００７】
そこで、本発明は、建築物の内装工事に適正な作業日数を算出することのできる作業日数算出装置、作業日数算出プログラム、及び、作業日数算出方法を提供することを目的としている。
【課題を解決するための手段】
【０００８】
上記課題を解決するために、本発明は、複数の工程を有する建築物の内装工事に適正な作業日数を算出するための作業日数算出装置であって、各工程の作業量と、各工程への作業員の投入数と、が入力される入力部と、各工程の作業量を合算して総作業量を算出する第１の算出部と、各工程の作業量と対応する歩掛との乗算を全て加算したものを、前記総作業量で除算することにより、加重平均歩掛を算出する第２の算出部と、各工程の作業量と対応する投入数との乗算を全て加算したものを、前記総作業量で除算することにより、加重平均投入数を算出する第３の算出部と、前記総作業量を、前記加重平均歩掛と前記加重平均投入数とを乗算したもので除算することにより、前記作業日数を算出する第４の算出部と、を備えたことを特徴とする作業日数算出装置を提供している。
【０００９】
このような構成によれば、各工程の工事面積に応じて歩掛と投入数に重み付けを行うことで、適正な作業日数を算出することが可能となるので、完成予定日に間に合わせるために作業員に過酷な労働が課されたり、逆に作業員が余剰となってしまうことが抑制される。
【００１０】
また、本発明の別の観点によれば、複数の工程を有する建築物の内装工事に適正な作業日数を算出するための作業日数算出装置であって、各工程の作業量が入力される入力部と、各工程の作業量に応じて投入数を算出する投入数算出部と、各工程の作業量を合算して総作業量を算出する第１の算出部と、各工程の作業量と対応する歩掛との乗算を全て加算したものを、前記総作業量で除算することにより、加重平均歩掛を算出する第２の算出部と、各工程の作業量と対応する投入数との乗算を全て加算したものを、前記総作業量で除算することにより、加重平均投入数を算出する第３の算出部と、前記総作業量を、前記加重平均歩掛と前記加重平均投入数とを乗算したもので除算することにより、前記作業日数を算出する第４の算出部と、を備え、前記投入数算出部は、前記複数の工程のそれぞれについて、各工程の作業量が多いほど、前記投入数を増加させると共に前記投入数の増加率は減少させることを特徴とする作業日数算出装置を提供している。
【００１１】
このような構成によれば、工事面積が広いほど、投入数を増加させると共に投入数の増加率は減少させることで、建築物の内装工事に適正な投入数を算出することが可能となるので、完成予定日に間に合わせるために作業員に過酷な労働が課されたり、逆に作業員が余剰となってしまうことがより抑制される。また、作業員が余剰となってしまうことが抑制されることにより、内装工事にかかる費用を抑えることも可能となる。
【００１２】
また、前記投入数算出部は、各工程の作業量の平方根と、工程ごとに設定された係数と、の乗算により前記投入数を決定することが好ましい。
【００１３】
また、本発明の別の観点によれば、複数の工程を有する建築物の内装工事に適正な作業日数を算出するために、各工程の作業量と、各工程への作業員の投入数と、が入力される入力部と、を備えたコンピュータにインストールされるプログラムであって、各工程の作業量を合算して総作業量を算出する第１のステップと、各工程の作業量と対応する歩掛との乗算を全て加算したものを、前記総作業量で除算することにより、加重平均歩掛を算出する第２のステップと、各工程の作業量と対応する投入数との乗算を全て加算したものを、前記総作業量で除算することにより、加重平均投入数を算出する第３のステップと、前記総作業量を、前記加重平均歩掛と前記加重平均投入数とを乗算したもので除算することにより、前記作業日数を算出する第４のステップと、を備えたことを特徴とする作業日数算出プログラムを提供している。
【００１４】
また、本発明の別の観点によれば、複数の工程を有する建築物の内装工事に適正な作業日数を算出するために、各工程の作業量が入力される入力部を備えたコンピュータにインストールされるプログラムであって、各工程の作業量に応じて投入数を算出する投入数算出ステップと、各工程の作業量を合算して総作業量を算出する第１のステップと、各工程の作業量と対応する歩掛との乗算を全て加算したものを、前記総作業量で除算することにより、加重平均歩掛を算出する第２のステップと、各工程の作業量と対応する投入数との乗算を全て加算したものを、前記総作業量で除算することにより、加重平均投入数を算出する第３のステップと、前記総作業量を、前記加重平均歩掛と前記加重平均投入数とを乗算したもので除算することにより、前記作業日数を算出する第４のステップと、を備え、前記投入数算出ステップでは、前記複数の工程のそれぞれについて、各工程の作業量が多いほど、前記投入数を増加させると共に前記投入数の増加率は減少させることを特徴とする作業日数算出プログラムを提供している。
【００１５】
また、前記投入数算出ステップでは、各工程の作業量の平方根と、工程ごとに設定された係数と、の乗算により前記投入数を決定することが好ましい。
【００１６】
また、本発明の別の観点によれば、複数の工程を有する建築物の内装工事に適正な作業日数を算出するための作業日数算出方法であって、各工程の作業量を合算して総作業量を算出する第１のステップと、各工程の作業量と対応する歩掛との乗算を全て加算したものを、前記総作業量で除算することにより、加重平均歩掛を算出する第２のステップと、各工程の作業量と対応する投入数との乗算を全て加算したものを、前記総作業量で除算することにより、加重平均投入数を算出する第３のステップと、前記総作業量を、前記加重平均歩掛と前記加重平均投入数とを乗算したもので除算することにより、前記作業日数を算出する第４のステップと、を備えたことを特徴とする作業日数算出方法を提供している。
【００１７】
また、本発明の別の観点によれば、複数の工程を有する建築物の内装工事に適正な作業日数を算出するための作業日数算出方法であって、各工程の作業量に応じて投入数を算出する投入数算出ステップと、各工程の作業量を合算して総作業量を算出する第１のステップと、各工程の作業量と対応する歩掛との乗算を全て加算したものを、前記総作業量で除算することにより、加重平均歩掛を算出する第２のステップと、各工程の作業量と対応する投入数との乗算を全て加算したものを、前記総作業量で除算することにより、加重平均投入数を算出する第３のステップと、前記総作業量を、前記加重平均歩掛と前記加重平均投入数とを乗算したもので除算することにより、前記作業日数を算出する第４のステップと、を備え、前記投入数算出ステップでは、前記複数の工程のそれぞれについて、各工程の作業量が多いほど、前記投入数を増加させると共に前記投入数の増加率は減少させることを特徴とする作業日数算出方法を提供している。
【００１８】
また、前記投入数算出ステップでは、各工程の作業量の平方根と、工程ごとに設定された係数と、の乗算により前記投入数を決定することが好ましい。
【発明の効果】
【００１９】
本発明の作業日数算出装置、作業日数算出プログラム、及び、作業日数算出方法によれば、建築物の内装工事に適正な作業日数を算出することが可能となる。
【図面の簡単な説明】
【００２０】
【図１】本発明の第１の実施の形態による作業日数算出装置のブロック図
【図２】本発明の第１の実施の形態による入力画面の説明図
【図３】本発明の第１の実施の形態による制御部の動作のフローチャート
【図４】本発明の第２の実施の形態による投入数の決定に関する説明図
【発明を実施するための形態】
【００２１】
以下、図１−図３を参照して、本発明の第１の実施の形態による作業日数算出装置１について説明する。
【００２２】
作業日数算出装置１は、建築物の内装工事に適正な作業日数を算出するためのものである。本実施の形態における“内装工事”には、複数の工程が含まれるが、躯体養生等の準備作業は、これらの工程には含まれないものとする。
【００２３】
図１に示すように、作業日数算出装置１は、表示部２と、記憶部３と、制御部４と、を備えている。
【００２４】
表示部２は、図２に示すように、入力画面２１を表示可能である。入力画面２１からは、各工程が行われる工事面積と、各工程への作業員の投入数と、が入力される。本実施の形態では、内装工事は、一例として、“壁・天井の骨組み”、“ボード”、“表面仕上げ”、“床仕上げ”の４つの工程が、その順番で行われるものとする。また、投入数としては、経験則や、完成予定日までの作業日数と歩掛を乗算したもので工事面積を単純に除算することにより決定されたものが入力されるものとする。
【００２５】
記憶部３には、歩掛が記憶されている。本実施の形態においては、歩掛とは、１人の作業員の１日当たりに行うことができる見込み作業量（工事面積）のことを意味するものとする。また、本実施の形態では、歩掛は、工程ごとに個別に設定されており、入力画面２１に自動的に表示されるものとする。
【００２６】
制御部４は、入力画面２１から入力された工事面積及び投入数に基づき、内装工事に適正な作業日数を算出する。なお、制御部４が、本発明の“第１の算出部”、“第２の算出部”、“第３の算出部” 及び、“第４の算出部”に相当する。
【００２７】
ここで、従来は、経験則や、投入数と歩掛を乗算したもので工事面積を単純に除算することにより作業日数が決定されていたが、本願の発明者は、このように決定された作業日数では、内装工事が行われる部屋数が多いほど日程が厳しくなることを発見した。これは、部屋数が多くなるほど、部屋の仕切りの存在により作業スペースの減少や作業の自由度の低下が生じ、これにより作業効率が低下することが原因と考えられる。
【００２８】
例えば、“壁・天井の骨組み”、“ボード”、“表面仕上げ”の工事面積が広いということは、部屋数が多いことを示すものである。また、“床仕上げ”の工事面積に関しては、必ずしも部屋数に比例するわけではないが、“床仕上げ”の工事面積が広いことも、部屋数が多いことに繋がる傾向がある。
【００２９】
このような状況を考慮し、本実施の形態による作業日数算出装置１では、各工程の工事面積に応じた加重平均歩掛と加重平均投入数を用いて作業日数を算出する。加重平均歩掛は、各工程の工事面積に応じて各工程の歩掛に重み付けがなされたものであり、加重平均投入数は、各工程の工事面積に応じて各工程の投入数に重み付けがなされたものである。
【００３０】
以下、図３のフローチャートを用いて、制御部４による処理について説明する。図３のフローチャートは、入力画面２１に各工程の工事面積及び投入数が入力された後に開始する。
【００３１】
まず、制御部４は、各工程の工事面積を合算することにより、総工事面積を算出する（Ｓ１）。図２に示された内容の場合、総工事面積は、１０００面積（＝１００＋２００＋３００＋４００）となる。
【００３２】
続いて、各工程における工事面積と歩掛との乗算を全て加算したものを、総工事面積で除算することにより加重平均歩掛を算出する（Ｓ２）。図２に示された内容の場合、加重平均歩掛は、３０面積／人数・日（＝（１００＊１０＋２００＊２０＋３００＊３０＋４００＊４０）／１０００）となる。
【００３３】
続いて、各工程における工事面積と投入数との乗算を全て加算したものを、総工事面積で除算することにより加重平均投入数を算出する（Ｓ３）。図２に示された内容の場合、加重平均投入数は、３人（＝（１００＊１＋２００＊２＋３００＊３＋４００＊４）／１０００）となる。
【００３４】
最後に、総工事面積を、加重平均歩掛と加重平均投入数とを乗算したもので除算することにより作業日数を算出して（Ｓ４）、処理を終了する。図２に示された内容の場合、作業日数は、約１１日（＝（１０００／（３０＊３））となる。
【００３５】
以上、説明したように、本実施の形態による作業日数算出装置１では、各工程の工事面積に応じて歩掛と投入数に重み付けを行う。
【００３６】
従来は、作業日数は、各工程について、投入数と歩掛を乗算したもので工事面積を、単純に除算することで算出されていた。従って、図２に示す例では、“骨組み”の作業日数＝１０日（１００／（１０＊１））、“ボード”の作業日数＝５日（２００／（２０＊２））、“表面仕上げ”の作業日数＝約３．３日（３００／（３０＊３））、“ボード”の作業日数＝２．５日（４００／（４０＊４））となるため、総作業日数は、これらを合計して、約２１日と決定されていた。
【００３７】
一方で、本実施の形態による作業日数算出装置１では、図２に示す例では、作業日数は、約１１日と算出された。これは、建築物の広さにしては部屋数が少なく、比較的効率よく作業を行うことができる環境であることを示すものである。
【００３８】
このように、本実施の形態による作業日数算出装置１では、各工程の工事面積に応じて歩掛と投入数に重み付けを行うことで、適正な作業日数を算出することが可能となる。従って、完成予定日に間に合わせるために作業員に過酷な労働が課されたり、逆に作業員が余剰となってしまうことが抑制される。
【００３９】
続いて、図４を参照して、第２の実施の形態による作業日数算出装置１について説明する。
【００４０】
第１の実施の形態では、経験則や、完成予定日までの作業日数と歩掛を乗算したもので工事面積を単純に除算することにより決定された投入数が入力画面２１から入力された。しかしながら、本願の発明者は、このようにして決定された投入数では、工事面積が広いほど作業員が余剰となることを発見した。これは、作業道具には共用されるものも多く、作業員の人数が増加しても共用される作業道具を置くためのスペースは大きくは増加しないので、作業スペースが広がり、作業効率が上昇することが原因と考えられる。
【００４１】
そこで、本実施の形態による作業日数算出装置１では、制御部４により投入数も算出する。
【００４２】
詳細には、制御部４が、図２におけるＳ１とＳ３の間で、複数の工程のそれぞれについて、工事面積が広いほど、投入数を増加させると共に投入数の増加率は減少させる。本実施の形態では、一例として、投入数＝Ｋ√工事面積（Ｋは定数）の式により決定するものとする（図４参照）。
【００４３】
係数Ｋは、工程ごとに個別に設定されている。詳細には、多くの作業員で行うタイプの工程の場合には、Ｋが大きな値に、少ない作業員で行うタイプの工程の場合には、Ｋが小さな値に設定されている。なお、本実施の形態による制御部４が、本発明の“投入数算出部”に相当する。
【００４４】
このように、本実施の形態による作業日数算出装置１では、工事面積が広いほど、投入数を増加させると共に投入数の増加率は減少させることで、建築物の内装工事に適正な投入数を算出することが可能となる。従って、完成予定日に間に合わせるために作業員に過酷な労働が課されたり、逆に作業員が余剰となってしまうことがより抑制される。また、作業員が余剰となってしまうことが抑制されることにより、内装工事にかかる費用を抑えることも可能となる。
【００４５】
尚、本発明の作業日数算出装置、作業日数算出プログラム、及び、作業日数算出方法は、上述した実施の形態に限定されず、特許請求の範囲に記載した範囲で種々の変形や改良が可能である。
【００４６】
例えば、上記実施の形態では、本発明の“作業量”として、“工事面積”を用いたが、“作業量”に相当するものであれば、“工事面積”以外のものを用いてもよい。
【００４７】
また、上記実施の形態では、歩掛とは、１人の作業員の１日当たりに行うことのできる見込み作業量（工事面積）のことを意味したが、“１日当たり”ではなく、他の時間単位を用いてもよい。その場合、制御部４により最終的に算出される作業時間が、本発明の“作業日数”に相当する。
【００４８】
また、上記実施の形態では、複数の工程は、“壁・天井の骨組み”、“ボード”、“表面仕上げ”、“床仕上げ”の４つの工程が、その順番で行われるものとしたが、工程の種類や順番は、これに限ったものではない。
【００４９】
また、本発明の“工程”は、工事面積が関連するものであれば、その他の工程を含んでもよく、例えば、躯体養生等の準備作業を含んでもよい。
【００５０】
また、上記実施の形態では、歩掛は、入力画面２１に自動的に表示されたが、入力画面２１から入力するようにしてもよい。
【００５１】
また、上記実施の形態では、作業日数算出装置１について説明したが、本発明は、制御部４が行う処理に相当する作業日数算出プログラム及び作業日数算出方法にも応用可能である。
【００５２】
更に、本発明は、作業日数算出プログラムを記憶した記録媒体にも応用可能である。記録媒体の場合、コンピュータ等に当該プログラムがインストールされることとなる。ここで、当該プログラムを記憶した記録媒体は、非一過性の記録媒体であっても良い。非一過性の記録媒体としては、ＣＤ−ＲＯＭ等が考えられるが、それに限定されるものではない。
【符号の説明】
【００５３】
１          作業日数算出装置
２          表示部
３          記憶部
４          制御部
２１      入力画面
【図１】
0006664842.tif 000002
【図２】
0006664842.tif 000003
【図３】
0006664842.tif 000004
【図４】
0006664842.tif 000005